(57)【特許請求の範囲】
【請求項１】
インキブレードとインキ出しローラーと複数の調整ねじを備えるインキ壺であって、複数のインキブレードが中心軸の回りに該中心軸を中心とする多角筒の各周面に配置されているインキブレード群を備え、インキブレードの各々には調整ねじが備えられインキブレードとインキ出しローラーとの間隙を調整できるように構成されており、各調整ねじを支持する本体が連結部を介して中心軸に固定されていることを特徴とするインキ壺。
【請求項２】
各インキブレードはモーター付きの調節ねじで遠隔操作可能に構成されていることを特徴とする請求項１に記載のインキ壺。
【請求項３】
インキブレード群を中心軸の軸方向に引き出してインキブレードをインキ出しローラーから分離し、インキブレード群の回転移動を可能とすることができるように構成されていることを特徴とする請求項１に記載のインキ壺。
【請求項４】
中心軸に対して垂直方向にインキブレードをインキ出しローラーから離すようにインキブレード群を移動させ、インキブレード群の回転移動を可能とすることができるように構成されていることを特徴とする請求項１に記載のインキ壺。
【発明の詳細な説明】
【０００１】
【発明の属する技術分野】
本発明はオフセット印刷機のインキ壺に関する。
【０００２】
【従来の技術】
従来のオフセット印刷機のインキ壺は、図４に示すように１枚のインキブレード１とインキ出しローラー２と複数の調整ねじ３を備え、オフセット印刷機においてはインキ出しローラー２とインキブレード１との隙間を複数の調整ねじ３で変え、印刷幅方向のインキ膜厚を調整できるように構成されている。
【０００３】
オフセット印刷の場合、インキ壺から少量のインキを、インキ出しローラーの回転により出し、これを移しローラーが運び、それを多数の繰り返しローラーにより均等化し、付けローラーを経て版面に供給する。
【０００４】
上記のようなインキ壺の洗浄は、印刷機を止めて、場合によっては印刷機を運転しながらインキ壺内のインキを大まかに取り除き、更にインキ壺内に付着しているインキをウエスで拭き取り洗浄している。機種によっては底板と側板がはずせる構造のもの、フィルムを壺に貼り、フィルムを除去して洗浄できるものがあるがいずれも洗浄が終わらなければ次の作業に取りかかることができない。
【０００５】
また、インキ壺の洗浄は次に使用するインキの色が前に使用したインキの色と混ざらないように念入りに行わなければならないため大変な作業となる。
【０００６】
【発明が解決しようとする課題】
本発明の目的はインキブレードの交換が容易なインキ壺を提供することである。
【０００７】
【課題を解決するための手段】
請求項１に記載の発明は、上記の発明の課題を解決するもので、インキブレードとインキ出しローラーと複数の調整ねじを備えるインキ壺であって、複数のインキブレードが中心軸の回りに該中心軸を中心とする多角筒の各周面に配置されているインキブレード群を備え、インキブレードの各々には調整ねじが備えられインキブレードとインキ出しローラーとの間隙を調整できるように構成されており、各調整ねじを支持する本体が連結部を介して中心軸に固定されていることを特徴とする。
【０００８】
本発明において、望ましくはインキブレード群の各インキブレードが互いに独立しており、各インキブレードはモーター付きの調節ねじで遠隔操作可能に構成されている。
【０００９】
本発明に係るインキ壺は、インキ壺内に残留するインキを取り除きインキ壺の内側壁及びインキ出しローラーを洗浄した後、インキブレード群を軸方向に引き出してインキブレードをインキ出しローラーから分離し、次いでインキブレード群を回転移動させ未使用のインキブレードをインキ出しローラーに対して対向させ、特に汚れのひどいインキブレードの洗浄に要する時間だけ短縮して次の印刷作業に取りかかることができるように構成することができる。
【００１０】
また、本発明に係るインキ壺は、インキ壺内に残留するインキを取り除いた後、中心軸に対して垂直方向にインキブレードをインキ出しローラーから離すようにインキブレード群を移動させ、インキブレード群を回転移動させ未使用のインキブレードをインキ出しローラーに対して対向させ、特に汚れのひどいインキブレードの洗浄に要する時間だけ短縮して次の印刷作業に取りかかることができるように構成することができる。
【００１１】
以上述べたように本発明のインキ壺を用いれば、印刷終了後にインキブレード群を回転移動させて未使用のインキブレードをインキ出しローラーと対向させ、特に汚れのひどいインキブレードの洗浄に要する時間だけ短縮して次の印刷作業に取りかかることができる。
【００１２】
【発明の実施の形態】
次に本発明の実施例を挙げて具体的に説明する。
図１は本発明のインキ壺を示す。このインキ壺は中心軸１２の回りに中心軸１２を中心とする三角筒の各周面に配置された３つのインキブレード１１ａ，１１ｂ，１１ｃからなるインキブレード群とインキ出しローラー１３を備える。本発明のインキ壺においては、前記インキブレード群を中心軸１２の方向にインキ出しローラー１３に対して移動可能に構成されており、インキ壺内のインキを取り除きインキ出しローラー及びインキ壺の内側壁を洗浄した後、インキブレード群を中心軸１２の方向にインキ出しローラー１３に対して移動させてインキブレード群のインキブレードをインキ出しローラー１３から分離し、インキブレード群を回転させ次に使用するインキブレードがインキ出しローラーに対応する角度位置まで移動させ、その位置で中心軸１２の方向にインキ出しローラー１３と対向する位置に戻すことによりインキブレードの交換が可能に構成されている。或いは本発明に係るインキ壺は、中心軸に対して垂直方向にインキブレードをインキ出しローラーから離すようにインキブレード群を移動させることが可能に構成し、中心軸に対して垂直方向にインキブレードをインキ出しローラーから離すようにインキブレード群を移動させしかる後回転移動させ未使用のインキブレードをインキ出しローラーに対して対向させることができるようにしてもよい。
【００１３】
図２は図１に示すインキ壺のインキブレード群を更に詳細に示す。インキブレード１１ａ，１１ｂ，１１ｃの各々には調整ねじ１４ａ，１４ｂ，１４ｃが備えられインキブレードとインキ出しローラーとの間隙を調整できるように構成されている。また調整ねじはモーター（図示せず）により遠隔操作される。インキブレード１１ａ，１１ｂ，１１ｃの間にはスリット１５が入れられており他のインキブレードに影響されることなくインキ出しローラーとの間隙を調整することができるように構成されている。また各調整ねじを支持する本体１６は連結部１７を介して中心軸１２に固定されている。
【００１４】
図３は本発明の別の実施態様を示す。４つのインキブレード１１ａ，１１ｂ，１１ｃ，１１ｄが中心軸１２の回りに中心軸１２を中心とする四角筒の各週面に配置されており、インキブレード群を中心軸１２の方向にインキ出しローラー１３に対して移動させてインキブレード群のインキブレードをインキ出しローラー１３から分離して回転させ、次に使用するインキブレードがインキ出しローラーに対応する角度位置まで移動させ、その位置で中心軸１２の方向にインキ出しローラー１３と対向する位置に戻すことにより、インキブレードの交換が可能に構成されている。この場合、黄、赤、藍、墨の４色の各色専用のインキブレードとして使い分けすることができる。それによって洗浄を簡単にすませることができ準備時間を削減することができる。
【００１５】
【発明の効果】
以上詳細に説明したように、本発明に係るインキ壺は、インキブレードとインキ出しローラーと複数の調整ねじを備えるインキ壺であって、複数のインキブレードが中心軸の回りに該中心軸を中心とする多角筒の各周面に配置されているインキブレード群を備え、インキブレードの各々には調整ねじが備えられインキブレードとインキ出しローラーとの間隙を調整できるように構成されており、各調整ねじを支持する本体が連結部を介して中心軸に固定されているので、このインキ壺によれば印刷終了後にインキブレード群を回転移動させて未使用のインキブレードをインキ出しローラーと対向させ、特に汚れのひどいインキブレードの洗浄に要する時間だけ短縮して次の印刷作業に取りかかることができるように構成することができ、インキブレードの洗浄を外段取り化して準備時間を削減することができる。
【００１６】
また各インキブレードに対して使用するインキの色を決めておき各色専用のインキブレードとして使用するようにすることにより洗浄を簡単に済ませることができ、準備時間を削減することができる。
【図面の簡単な説明】
【図１】本発明のインキ壺の略図である。
【図２】本発明のインキ壺の要部の説明図である。
【図３】本発明のインキ壺の別の態様を示す略図である。
【図４】従来のインキ壺の略図である。
【符号の説明】
１１ａ、１１ｂ、１１ｃ    インキブレード
１２    中心軸
１３    インキ出しローラー
１４ａ、１４ｂ、１４ｃ    調整ねじ
１５    スリット
１６    本体
１７    連結部
【図１】
0004641352.tif 000002
【図２】
0004641352.tif 000003
【図３】
0004641352.tif 000004
【図４】
0004641352.tif 000005